(57)【要約】【課題】動作不能状態に陥ること無く、呼接続処理を代替実行する。【解決手段】フェムト基地局２０を構成する障害検出部２１は、コアネットワーク１０との伝送障害を検出する。障害検出部２１により前記伝送障害が検出された場合、呼接続部２２は、コアネットワーク１０に代わって、自局２０に在圏する移動局３０＿１〜３０＿ｍ同士間の呼接続を行う。或いは、コアネットワーク１０とフェムト基地局２０(及び他のフェムト基地局)の間の通信を中継するゲートウェイ装置が、コアネットワーク１０との伝送障害を検出した場合、コアネットワーク１０に代わって、フェムト基地局２０(及び他のフェムト基地局)に在圏する移動局３０＿１〜３０＿ｍ同士間の呼接続を行う。【選択図】図１
2010233184.tif 000002
【特許請求の範囲】
【請求項１】
コアネットワークとの伝送障害を検出する障害検出部と、
前記伝送障害が検出された場合、前記コアネットワークに代わって、自局に在圏する移動局同士間の呼接続を行う呼接続部と、
を備えた無線基地局。
【請求項２】
請求項１において、
前記呼接続部が、前記伝送障害の検出を報知することを特徴とした無線基地局。
【請求項３】
請求項１又は２において、
前記呼接続部が、着信側の移動局から位置登録を予め要求されていた場合、前記呼接続に際して前記着信側の移動局が自局に在圏すると判定することを特徴とした無線基地局。
【請求項４】
請求項１〜３のいずれか一項において、
前記伝送障害が、前記コアネットワーク内部に発生する障害、又は自局と前記コアネットワークとの間に設けられた回線に発生する障害であることを特徴とした無線基地局。
【請求項５】
コアネットワークと少なくとも１つの無線基地局の間の通信を中継するゲートウェイ装置であって、
前記コアネットワークとの伝送障害を検出する障害検出部と、
前記伝送障害が検出された場合、前記コアネットワークに代わって、前記無線基地局に在圏する移動局同士間の呼接続を行う呼接続部と、
を備えたゲートウェイ装置。
【請求項６】
請求項５において、
前記呼接続部が、前記無線基地局に、前記伝送障害の検出を報知させることを特徴としたゲートウェイ装置。
【請求項７】
請求項５又は６において、
前記呼接続部が、前記無線基地局を介して、着信側の移動局から位置登録を予め要求されていた場合、前記呼接続に際して前記着信側の移動局が前記無線基地局に在圏すると判定することを特徴としたゲートウェイ装置。
【請求項８】
請求項５〜７のいずれか一項において、
前記伝送障害が、前記コアネットワーク内部に発生する障害、又は自装置と前記コアネットワークとの間に設けられた回線に発生する障害であることを特徴としたゲートウェイ装置。
【請求項９】
無線基地局における呼接続方法であって、
コアネットワークとの伝送障害を検出し、
前記伝送障害を検出した場合、前記コアネットワークに代わって、前記無線基地局に在圏する移動局同士間の呼接続を行う呼接続方法。
【請求項１０】
請求項９において、
前記伝送障害の検出を報知することを特徴とした呼接続方法。
【請求項１１】
請求項９又は１０において、
着信側の移動局から位置登録を予め要求されていた場合、前記呼接続に際して前記着信側の移動局が前記無線基地局に在圏すると判定することを特徴とした呼接続方法。
【請求項１２】
請求項９〜１１のいずれか一項において、
前記伝送障害として、前記コアネットワーク内部に発生する障害、又は前記無線基地局と前記コアネットワークとの間に設けられた回線に発生する障害を検出することを特徴とした呼接続方法。
【請求項１３】
コアネットワークと少なくとも１つの無線基地局の間の通信を中継するゲートウェイ装置における呼接続方法であって、
前記コアネットワークとの伝送障害を検出し、
前記伝送障害を検出した場合、前記コアネットワークに代わって、前記無線基地局に在圏する移動局同士間の呼接続を行う呼接続方法。
【請求項１４】
請求項１３において、
前記無線基地局に、前記伝送障害の検出を報知させることを特徴とした呼接続方法。
【請求項１５】
請求項１３又は１４において、
前記無線基地局を介して、着信側の移動局から位置登録を予め要求されていた場合、前記呼接続に際して前記着信側の移動局が前記無線基地局に在圏すると判定することを特徴とした呼接続方法。
【請求項１６】
請求項１３〜１５のいずれか一項において、
前記伝送障害として、前記コアネットワーク内部に発生する障害、又は前記ゲートウェイ装置と前記コアネットワークとの間に設けられた回線に発生する障害を検出することを特徴とした呼接続方法。
【請求項１７】
無線基地局に、
コアネットワークとの伝送障害を検出する処理と、
前記伝送障害を検出した場合、前記コアネットワークに代わって、前記無線基地局に在圏する移動局同士間の呼接続を行う処理と、
を実行させるための呼接続プログラム。
【請求項１８】
コアネットワークと少なくとも１つの無線基地局の間の通信を中継するゲートウェイ装置に、
前記コアネットワークとの伝送障害を検出する処理と、
前記伝送障害を検出した場合、前記コアネットワークに代わって、前記無線基地局に在圏する移動局同士間の呼接続を行う処理と、
を実行させるための呼接続プログラム。
【発明の詳細な説明】
【技術分野】
【０００１】
本発明は、無線基地局、ゲートウェイ装置、並びに呼接続方法及びプログラムに関し、特に呼接続処理を代替実行する無線基地局、ゲートウェイ装置、並びにこれらの呼接続方法及びプログラムに関する。
【背景技術】
【０００２】
近年、屋内へ設置可能な無線基地局の開発が進められている。この無線基地局により形成されるセルは、そのカバーエリアが屋外に設置される無線基地局と比較して極めて小さいことから、一般にフェムトセルと呼ばれる。そこで、以降の説明においては、フェムトセルを形成する無線基地局をフェムト基地局と呼称する。これに対して、フェムトセルより大規模なセル(一般にマクロセルと呼ばれる)を形成する無線基地局をマクロ基地局と呼称し、フェムト基地局と区別する。
【０００３】
また、フェムト基地局は、マクロ基地局を制御するＲＮＣ(Ｒａｄｉｏ Ｎｅｔｗｏｒｋ Ｃｏｎｔｒｏｌｌｅｒ：無線ネットワーク制御装置)と同等の機能を有し、コアネットワークに、直接又はゲートウェイ装置を介して接続される。
【０００４】
以下、一般的なフェムト基地局を適用する移動体通信システムの構成及び動作を、図１０及び図１１を参照して説明する。
【０００５】
図１０に示す移動体通信システム１ｘは、コアネットワーク１０と、このコアネットワーク１０に接続されたフェムト基地局２０ｘと、このフェムト基地局２０ｘに無線接続して所望の通信を行うｍ台の移動局３０＿１〜３０＿ｍ(以下、符号３０で総称することがある)とで構成されている。
【０００６】
この移動体通信システム１ｘにおける呼接続処理に係る動作を、移動局３０＿１及び３０＿２が通信を行う場合を例に取って説明する。
【０００７】
図１１に示すように、移動局３０＿１は、フェムト基地局２０ｘに在圏すると(ステップＳ１０１)、フェムト基地局２０ｘに対して位置登録要求５１＿１を無線送信する(ステップＳ１０２)。フェムト基地局２０ｘは、位置登録要求５１＿１を、コアネットワーク１０へ転送する(ステップＳ１０３)。コアネットワーク１０は、位置登録要求５１＿１に含まれる移動局３０＿１の位置情報５２＿１を、図示を省略するＶＬＲ(Ｖｉｓｉｔｏｒ Ｌｏｃａｔｉｏｎ Ｒｅｇｉｓｔｅｒ)又はＨＬＲ(Ｈｏｍｅ Ｌｏｃａｔｉｏｎ Ｒｅｇｉｓｔｅｒ)に、移動局３０＿１の識別情報(ＩＤや電話番号等)と対応付けて登録する(ステップＳ１０４)。
【０００８】
また同様にして、移動局３０＿２は、フェムト基地局２０ｘに在圏すると(ステップＳ１０５)、フェムト基地局２０ｘに対して位置登録要求５１＿２を無線送信する(ステップＳ１０６)。フェムト基地局２０ｘは、位置登録要求５１＿２を、コアネットワーク１０へ転送する(ステップＳ１０７)。コアネットワーク１０は、位置登録要求５１＿２に含まれる移動局３０＿２の位置情報５２＿２を、ＶＬＲ又はＨＬＲに、移動局３０＿２の識別情報と対応付けて登録する(ステップＳ１０８)。
【０００９】
なお、以降の説明においては、位置登録要求を符号５１で総称し、位置情報を符号５２で総称することがある。
【００１０】
この後、移動局３０＿１から移動局３０＿２を着信先として指定する発信信号５３が無線送出されると(ステップＳ１０９)、フェムト基地局２０ｘは、発信信号５３をコアネットワーク１０へ転送する(ステップＳ１１０)。
【００１１】
コアネットワーク１０は、発信信号５３に含まれる移動局３０＿２の識別情報をキーとして、ＶＬＲ又はＨＬＲから位置情報５２＿２を読み出し、以て移動局３０＿２が在圏する基地局を判定する(ステップＳ１１１)。この結果、コアネットワーク１０は、移動局３０＿２がフェムト基地局２０ｘに在圏すると判定し、フェムト基地局２０ｘに対して、移動局３０＿２への着信信号５４を送信する(ステップＳ１１２)。
【００１２】
フェムト基地局２０ｘは、着信信号５４を移動局３０＿２へ無線転送する(ステップＳ１１３)。移動局３０＿２からの着信応答信号５５を無線受信すると(ステップＳ１１４)、フェムト基地局２０ｘは、着信応答信号５５をコアネットワーク１０へ転送する(ステップＳ１１５)。
【００１３】
着信応答信号５５を受信したコアネットワーク１０は、フェムト基地局２０ｘに対して、移動局３０＿１への発信応答信号５６を送信する(ステップＳ１１６)。フェムト基地局２０ｘは、発信応答信号５６を、移動局３０＿１へ無線転送する(ステップＳ１１７)。
【００１４】
これにより、移動局３０＿１−３０＿２同士間の呼が接続され、以降、移動局３０＿１及び３０＿２が通信状態となる。
【００１５】
しかしながら、上記の移動体通信システム１ｘには、呼接続処理に遅延が生じてしまうという問題があった。これは、発信側の移動局３０＿１と着信側の移動局３０＿２とが同一のフェムト基地局２０ｘに在圏するにも関わらず、各種信号がコアネットワーク１０を冗長に経由するためである。また、呼接続処理に限らず、通信データの伝送にも同様に遅延が生じる。
【００１６】
この問題に対処するフェムト基地局が、例えば特許文献１に記載されている。この特許文献１に記載されるフェムト基地局は、自局に在圏する移動局同士間の呼接続処理を、コアネットワークに代わって実行する。
【００１７】
また、例えば特許文献２には、コアネットワークを介さず、複数のフェムト基地局のいずれかに在圏する移動局同士間の呼接続処理を代替実行するゲートウェイ装置が記載されている。
【先行技術文献】
【特許文献】
【００１８】
【特許文献１】特開平１０−１９１４４５号公報
【特許文献２】特開２００４−３６４０５４号公報
【発明の概要】
【発明が解決しようとする課題】
【００１９】
しかしながら、上記の特許文献１及び２には、処理負荷が高いという課題があった。これは、フェムト基地局及びゲートウェイ装置が、フェムト基地局に在圏する移動局同士間の呼接続処理に加えて、他の無線基地局に在圏する他の移動局への発信に際しての信号転送処理、及び当該他の移動局からの着信に際しての信号転送処理を並列に実行する必要があるためである。
【００２０】
通常、フェムト基地局及びゲートウェイ装置の処理性能はコアネットワーク内の交換局等と比較して遥かに低い。このため、フェムト基地局及びゲートウェイ装置は、呼接続処理と信号転送処理の並列実行に因り輻輳し、最悪の場合には動作不能状態に陥る虞がある。
【００２１】
従って、本発明は、動作不能状態に陥ること無く、呼接続処理を代替実行することが可能な無線基地局、ゲートウェイ装置、並びにこれらの呼接続方法及びプログラムを提供することを目的とする。
【課題を解決するための手段】
【００２２】
上記の目的を達成するため、本発明の一態様に係る無線基地局は、コアネットワークとの伝送障害を検出する障害検出部と、前記伝送障害が検出された場合、前記コアネットワークに代わって、自局に在圏する移動局同士間の呼接続を行う呼接続部とを備える。
【００２３】
また、本発明の一態様に係るゲートウェイ装置は、コアネットワークと少なくとも１つの無線基地局の間の通信を中継する。このゲートウェイ装置は、前記コアネットワークとの伝送障害を検出する障害検出部と、前記伝送障害が検出された場合、前記コアネットワークに代わって、前記無線基地局に在圏する移動局同士間の呼接続を行う呼接続部とを備える。
【００２４】
また、本発明の一態様に係る呼接続方法は、無線基地局における呼接続方法を提供する。この呼接続方法は、コアネットワークとの伝送障害を検出し、前記伝送障害を検出した場合、前記コアネットワークに代わって、前記無線基地局に在圏する移動局同士間の呼接続を行う。
【００２５】
また、本発明の他の一態様に係る呼接続方法は、コアネットワークと少なくとも１つの無線基地局の間の通信を中継するゲートウェイ装置における呼接続方法を提供する。この呼接続方法は、前記コアネットワークとの伝送障害を検出し、前記伝送障害を検出した場合、前記コアネットワークに代わって、前記無線基地局に在圏する移動局同士間の呼接続を行う。
【００２６】
また、本発明の一態様に係る呼接続プログラムは、無線基地局に、コアネットワークとの伝送障害を検出する処理と、前記伝送障害を検出した場合、前記コアネットワークに代わって、前記無線基地局に在圏する移動局同士間の呼接続を行う処理とを実行させる。
【００２７】
さらに、本発明の他の一態様に係る呼接続プログラムは、コアネットワークと少なくとも１つの無線基地局の間の通信を中継するゲートウェイ装置に、前記コアネットワークとの伝送障害を検出する処理と、前記伝送障害を検出した場合、前記コアネットワークに代わって、前記無線基地局に在圏する移動局同士間の呼接続を行う処理とを実行させる。
【発明の効果】
【００２８】
本発明では、呼接続処理を、コアネットワークとの協調動作による信号転送処理が不要である場合に限り代替実行する。このため、無線基地局及びゲートウェイ装置は、安定して動作でき、以て動作不能状態に陥ることが無い。
【図面の簡単な説明】
【００２９】
【図１】本発明の実施の形態１に係る無線基地局及びこれを適用する移動体通信システムの概略的な構成例を示したブロック図である。
【図２】本発明の実施の形態１に係る無線基地局の一の具体的な構成例を示したブロック図である。
【図３】本発明の実施の形態１に係る無線基地局及びこれを適用する移動体通信システムにおける呼接続処理例を示したシーケンス図である。
【図４】本発明の実施の形態１に係る無線基地局及びこれを適用する移動体通信システムにおける伝送障害の報知動作例を示したシーケンス図である。
【図５】本発明の実施の形態１に係る無線基地局の他の具体的な構成例を示したブロック図である。
【図６】本発明の実施の形態２に係るゲートウェイ装置及びこれを適用する移動体通信システムの概略的な構成例を示したブロック図である。
【図７】本発明の実施の形態２に係るゲートウェイ装置の具体的な構成例を示したブロック図である。
【図８】本発明の実施の形態２に係るゲートウェイ装置及びこれを適用する移動体通信システムにおける呼接続処理例を示したシーケンス図である。
【図９】本発明の実施の形態２に係るゲートウェイ装置及びこれを適用する移動体通信システムにおける伝送障害の報知動作例を示したシーケンス図である。
【図１０】一般的なフェムト基地局を適用する移動体通信システムの構成例を示しブロック図である。
【図１１】一般的なフェムト基地局を適用する移動体通信システムにおける呼接続処理例を示したシーケンス図である。
【発明を実施するための形態】
【００３０】
以下、まず本発明に係る無線基地局の実施の形態１を、図１〜図５を参照して説明する。そして、本発明に係るゲートウェイ装置の実施の形態２を、図６〜図９を参照して説明する。なお、各図面において、同一要素には同一の符号が付されており、説明の明確化のため、必要に応じて重複説明は省略される。
【００３１】
[実施の形態１]
図１に示す本実施の形態に係る移動体通信システム１は、コアネットワーク１０と、このコアネットワーク１０に接続されたフェムト基地局２０と、このフェムト基地局２０に無線接続して所望の通信を行うｍ台の移動局３０＿１〜３０＿ｍとで構成されている。
【００３２】
また、フェムト基地局２０は、障害検出部２１と、呼接続部２２とを備える。この内、障害検出部２１は、コアネットワーク１０との伝送障害を検出した場合、当該伝送障害を示す信号(以下、伝送障害検出信号と呼称する)６０を呼接続部２２に与える。
【００３３】
一方、呼接続部２２は、伝送障害検出信号６０の受信後、コアネットワーク１０に代わって、フェムト基地局２０に在圏する移動局３０＿１〜３０＿ｍ同士間の呼接続を行う。
【００３４】
すなわち、フェムト基地局２０は、コアネットワーク１０に対して、他の無線基地局に在圏する他の移動局への発信信号を転送する必要が無く、且つコアネットワーク１０から、当該他の移動局からの着信信号が転送され得ない場合に限り、呼接続処理を代替実行する。従って、フェムト基地局２０は、輻輳すること無く安定して動作できる。
【００３５】
以下、フェムト基地局２０の具体的な構成例及び動作例を、図２〜図５を参照して詳細に説明する。
【００３６】
図２に示すように、フェムト基地局２０内の障害検出部２１は、コアネットワークＩ／Ｆ２１１と、導通確認部２１２とを有する。この内、コアネットワークＩ／Ｆ２１１は、コアネットワーク１０に有線回線７０を介して接続され、コアネットワーク１０−移動局３０間の信号伝送を行う。また、導通確認部２１２は、Ｉ／Ｆ２１１を介して、コアネットワーク１０に対する導通コマンド(例えば、ＰＩＮＧ(Ｐａｃｋｅｔ ＩＮｔｅｒｎｅｔ Ｇｒｏｐｅｒ)コマンド)６１を定期的に送信し、その応答としてコアネットワーク１０から導通応答６２を受信する。導通コマンド６１の送信から一定時間が経過しても導通応答６２を受信できない場合、導通確認部２１２は、コアネットワーク１０内部又は回線７０のいずれかに障害が発生していると判断し、伝送障害検出信号６０を発生する。
【００３７】
一方、呼接続部２２は、無線送受信機２２１と、メモリ等の記憶媒体２２２と、信号処理部２２３とを有する。この内、無線送受信機２２１は、移動局３０との無線信号の送受信、信号処理部２２３から受信したベースバンド信号の無線信号への変調、及び移動局３０から受信した無線信号のベースバンド信号への復調を行う。また、信号処理部２２３は、移動局３０から位置登録要求５１(図１１参照)を受信した場合、この位置登録要求５１に含まれる位置情報５２を、移動局３０の識別情報(ＩＤや電話番号等)と対応付けて記憶媒体２２２へ記憶する。また、信号処理部２２３は、伝送障害検出信号６０の後に発信信号５３を受信し、且つこの発信信号５３に含まれる着信先の移動局の識別情報をキーとして、記憶媒体２２２から位置情報５２を検索できた場合、当該着信先の移動局がフェムト基地局２０に在圏すると判定し、着信先の移動局と発信元の移動局との間の呼を接続する。
【００３８】
次に、本実施の形態における呼接続処理例を、図１に示した移動局３０＿１及び３０＿２が通信を行う場合を例に取り、図３を参照して説明する。
【００３９】
図３に示すように、移動局３０＿１は、フェムト基地局２０に在圏すると(ステップＳ１)、フェムト基地局２０に対して位置登録要求５１＿１を無線送信する(ステップＳ２)。フェムト基地局２０内の信号処理部２２３は、無線送受信機２２１で受信された位置登録要求５１＿１を、コアネットワークＩ／Ｆ２１１を介してコアネットワーク１０へ転送する(ステップＳ３)。コアネットワーク１０は、位置登録要求５１＿１に含まれる移動局３０＿１の位置情報５２＿１を、ＶＬＲ又はＨＬＲに、移動局３０＿１の識別情報と対応付けて登録する(ステップＳ４)。
【００４０】
上記のステップＳ３と並行して、信号処理部２２３は、位置登録要求５１＿１から位置情報５２＿１を抽出し、移動局３０＿１の識別情報と対応付けて記憶媒体２２２へ記憶する(ステップＳ５)。
【００４１】
また同様にして、移動局３０＿２は、フェムト基地局２０に在圏すると(ステップＳ６)、フェムト基地局２０に対して位置登録要求５１＿２を無線送信する(ステップＳ７)。信号処理部２２３は、位置登録要求５１＿２をコアネットワーク１０へ転送する(ステップＳ８)。コアネットワーク１０は、位置登録要求５１＿２に含まれる移動局３０＿２の位置情報５２＿２を、ＶＬＲ又はＨＬＲに、移動局３０＿２の識別情報と対応付けて登録する(ステップＳ９)。
【００４２】
上記のステップＳ８と並行して、信号処理部２２３は、位置登録要求５１＿２から位置情報５２＿２を抽出し、移動局３０＿２の識別情報と対応付けて記憶媒体２２２へ記憶する(ステップＳ１０)。
【００４３】
この後、図２に示した回線７０に障害が発生した場合、コアネットワーク１０からの導通応答６２を受信できなくなるため、導通確認部２１２は、コアネットワーク１０との伝送障害を検出し、以て伝送障害検出信号６０を信号処理部２２３に与える(ステップＳ１１)。伝送障害検出信号６０を受けた信号処理部２２３は、以降、フェムト基地局２０に在圏する移動局３０＿１〜３０＿ｍ同士間の呼接続を行うべきと判断する。なお、図示を省略するが、信号処理部２２３は、コアネットワーク１０との伝送障害が発生していない場合、図１１と同様の信号転送処理を実行する。
【００４４】
そして、移動局３０＿１から移動局３０＿２を着信先として指定する発信信号５３が無線送出されると(ステップＳ１２)、信号処理部２２３は、発信信号５３に含まれる移動局３０＿２の識別情報をキーとして記憶媒体２２２から位置情報５２＿２を検索する。この結果、位置情報５２＿２を検索できた場合、信号処理部２２３は、移動局３０＿２がフェムト基地局２０に在圏すると判定し(ステップＳ１３)、移動局３０＿２に対して着信信号５４を送信する(ステップＳ１４)。なお、図示を省略するが、位置情報５２＿２を検索できなかった場合、信号処理部２２３は、移動局３０＿２がフェムト基地局２０に在圏しない(すなわち、移動局３０＿２への着信が不可能)と判定し、移動局３０＿１に対して、着信不可を示す発信応答信号を送信する。
【００４５】
そして、信号処理部２２３は、移動局３０＿２から着信応答信号５５を受信すると(ステップＳ１５)、移動局３０＿１に対して発信応答信号５６を送信する(ステップＳ１６)。
【００４６】
これにより、移動局３０＿１−３０＿２同士間の呼が接続され、以降、移動局３０＿１及び３０＿２が通信状態となる。
【００４７】
また、信号処理部２２３は、導通確認部２１２でコアネットワーク１０との伝送障害が検出された場合、図４に示す如く動作すると好適である。
【００４８】
すなわち、信号処理部２２３は、上記のステップＳ１１で伝送障害検出信号６０を受信した際、コアネットワーク１０との伝送障害の検出を示す通知(以下、伝送障害検出通知)５７を、フェムト基地局２０が形成するセルに報知する。この伝送障害検出通知５７は、例えば、既存の報知情報中の予約領域を利用し、報知用無線チャネルを介して無線送出すれば良い。
【００４９】
この場合、フェムト基地局２０は、移動局３０を所持するユーザに対して、他の無線基地局に在圏する他の移動局への発信が不可である旨を警告でき、以て当該他の移動局への不要な発信信号の発生が抑止される。このため、フェムト基地局２０の処理負荷をさらに低減することができる。
【００５０】
なお、上記の障害検出部２１及び呼接続部２２は、プログラムにより実現することもできる。より具体的には、図５に示すように、フェムト基地局２０内のプロセッサ２３が、図２に示したコアネットワークＩ／Ｆ２１１及び無線送受信機２２１を制御すると共に、記憶媒体２２２に格納された、導通確認部２１２と同等の処理を記述した障害検出処理プログラム２４と、信号処理部２２３と同等の処理を記述した呼接続処理プログラム２５とをそれぞれ実行する。また、障害検出処理プログラム２４及び呼接続処理プログラム２５は、既存の制御回路に組み込まれたファームウェアへのプラグインとして提供しても良い。
【００５１】
[実施の形態２]
図６に示す本実施の形態に係る移動体通信システム１ａは、コアネットワーク１０と、ｎ台のフェムト基地局２０ｘ＿１〜２０ｘ＿ｎ(以下、符号２０ｘで総称することがある)と、フェムト基地局２０ｘ＿１〜２０ｘ＿ｎのいずれかに無線接続して所望の通信を行うｍ台の移動局３０＿１〜３０＿ｍと、コアネットワーク１０とフェムト基地局２０ｘ＿１〜２０ｘ＿ｎの間の通信を中継するゲートウェイ装置４０とで構成されている。なお、フェムト基地局２０ｘは、図１０に示した一般的なフェムト基地局である。また、ゲートウェイ装置４０には、少なくとも１台のフェムト基地局が接続されていれば良い。
【００５２】
また、ゲートウェイ装置４０は、障害検出部４１と、呼接続部４２とを備える。この内、障害検出部４１は、コアネットワーク１０との伝送障害を検出した場合に、伝送障害検出信号６０を呼接続部４２に与える。
【００５３】
一方、呼接続部４２は、伝送障害検出信号６０の受信後、コアネットワーク１０に代わって、フェムト基地局２０ｘに在圏する移動局３０＿１〜３０＿ｍ同士間の呼接続を行う。
【００５４】
すなわち、ゲートウェイ装置４０は、コアネットワーク１０に対して、他の無線基地局に在圏する他の移動局への発信信号を転送する必要が無く、且つコアネットワーク１０から、当該他の移動局からの着信信号が転送され得ない場合に限り、呼接続処理を代替実行する。従って、ゲートウェイ装置４０は、輻輳すること無く安定して動作できる。
【００５５】
以下、ゲートウェイ装置４０の具体的な構成例及び動作例を、図７〜図９を参照して詳細に説明する。
【００５６】
図７に示すように、ゲートウェイ装置４０内の障害検出部４１は、図２と同様のコアネットワークＩ／Ｆ２１１及び導通確認部２１２を有する。また、呼接続部４２は、フェムト基地局２０ｘとのインタフェースとして機能する基地局Ｉ／Ｆ４２１と、図２と同様の記憶媒体２２２及び信号処理部２２３とを有する。なお、障害検出部４１及び呼接続部４２は、プログラムにより実現することもできる。この場合、ゲートウェイ装置４０内のプロセッサ(図示せず)が、コアネットワークＩ／Ｆ２１１及び無線送受信機２２１を制御すると共に、記憶媒体２２２に格納された、図５と同様の障害検出処理プログラム２４及び呼接続処理プログラム２５をそれぞれ実行する。また、障害検出処理プログラム２４及び呼接続処理プログラム２５は、既存の制御回路に組み込まれたファームウェアへのプラグインとして提供しても良い。
【００５７】
次に、本実施の形態における呼接続処理例を、図６に示したフェムト基地局２０ｘ＿１に在圏する移動局３０＿１と、フェムト基地局２０ｘ＿２に在圏する移動局３０＿２とが通信を行う場合を例に取り、図８を参照して説明する。なお、以降の説明は、移動局３０＿１及び３０＿２が同一のフェムト基地局に在圏する場合も同様に適用される。
【００５８】
図８に示すように、移動局３０＿１は、フェムト基地局２０ｘ＿１に在圏すると(ステップＳ２１)、フェムト基地局２０ｘ＿１に対して位置登録要求５１＿１を無線送信する(ステップＳ２２)。フェムト基地局２０ｘ＿１は、位置登録要求５１＿１をゲートウェイ装置４０へ転送する(ステップＳ２３)。ゲートウェイ装置４０内の信号処理部２２３は、基地局Ｉ／Ｆ４２１で受信された位置登録要求５１＿１を、コアネットワークＩ／Ｆ２１１を介してコアネットワーク１０へ転送する(ステップＳ２４)。コアネットワーク１０は、位置登録要求５１＿１に含まれる移動局３０＿１の位置情報５２＿１を、ＶＬＲ又はＨＬＲに、移動局３０＿１の識別情報と対応付けて登録する(ステップＳ２５)。
【００５９】
上記のステップＳ２４と並行して、信号処理部２２３は、位置登録要求５１＿１から位置情報５２＿１を抽出し、移動局３０＿１の識別情報と対応付けて記憶媒体２２２へ記憶する(ステップＳ２６)。
【００６０】
また同様にして、移動局３０＿２は、フェムト基地局２０ｘ＿２に在圏すると(ステップＳ２７)、フェムト基地局２０ｘ＿２に対して位置登録要求５１＿２を無線送信する(ステップＳ２８)。フェムト基地局２０ｘ＿２は、位置登録要求５１＿２をゲートウェイ装置４０へ転送する(ステップＳ２９)。信号処理部２２３は、位置登録要求５１＿２をコアネットワーク１０へ転送する(ステップＳ３０)。コアネットワーク１０は、位置登録要求５１＿２に含まれる移動局３０＿２の位置情報５２＿２を、ＶＬＲ又はＨＬＲに、移動局３０＿２の識別情報と対応付けて登録する(ステップＳ３１)。
【００６１】
上記のステップＳ３０と並行して、信号処理部２２３は、位置登録要求５１＿２から位置情報５２＿２を抽出し、移動局３０＿２の識別情報と対応付けて記憶媒体２２２へ記憶する(ステップＳ３２)。
【００６２】
この後、図７に示した回線７０に障害が発生した場合、導通確認部２１２は、コアネットワーク１０との伝送障害を検出し、以て伝送障害検出信号６０を信号処理部２２３に与える(ステップＳ３３)。伝送障害検出信号６０を受けた信号処理部２２３は、以降、フェムト基地局２０ｘ＿１〜２０ｘ＿ｎのいずれかに在圏する移動局３０＿１〜３０＿ｍ同士間の呼接続を行うべきと判断する。なお、図示を省略するが、信号処理部２２３は、コアネットワーク１０との伝送障害が発生していない場合、図１１と同様の信号転送処理を実行する。
【００６３】
そして、移動局３０＿１から移動局３０＿２を着信先として指定する発信信号５３が無線送出されると(ステップＳ３４)、フェムト基地局２０ｘ＿１は、発信信号５３をゲートウェイ装置４０へ転送する(ステップＳ３５)。信号処理部２２３は、上記の実施の形態１と同様にして、移動局３０＿２がフェムト基地局２０ｘ＿１〜２０ｘ＿ｎのいずれかに在圏するか否かを判定する(ステップＳ３６)。この結果、信号処理部２２３は、移動局３０＿２がフェムト基地局２０ｘ＿２に在圏すると判定し、フェムト基地局２０ｘ＿２に対して、移動局３０＿２への着信信号５４を送信する(ステップＳ３７)。フェムト基地局２０ｘ＿２は、着信信号５４を移動局３０＿２へ無線転送する(ステップＳ３８)。なお、図示を省略するが、移動局３０＿２がフェムト基地局２０ｘ＿１〜２０ｘ＿ｎのいずれにも在圏しないと判定した場合、信号処理部２２３は、フェムト基地局２０ｘ＿１を介し、移動局３０＿１に対して着信不可を示す発信応答信号を送信する。
【００６４】
そして、信号処理部２２３は、移動局３０＿２から、フェムト基地局２０ｘ＿２を介して着信応答信号５５を受信すると(ステップＳ３９及びＳ４０)、フェムト基地局２０ｘ＿１を介し、移動局３０＿１に対して発信応答信号５６を送信する(ステップＳ４１及びＳ４２)。
【００６５】
これにより、移動局３０＿１−３０＿２同士間の呼が接続され、以降、移動局３０＿１及び３０＿２が通信状態となる。
【００６６】
また、信号処理部２２３は、導通確認部２１２でコアネットワーク１０との伝送障害が検出された場合、図９に示す如く動作すると好適である。
【００６７】
すなわち、信号処理部２２３は、上記のステップＳ３３で伝送障害検出信号６０を受信した際、フェムト基地局２０ｘ＿１〜２０ｘ＿ｎに対して報知指示５８を送信し、以て伝送障害検出通知５７を報知するよう指示する(ステップＳ４３)。この報知指示５８を受けたフェムト基地局２０ｘ＿１〜２０ｘ＿ｎは、伝送障害検出通知５７を報知する(ステップＳ４４)。
【００６８】
この場合、ゲートウェイ装置４０は、移動局３０を所持するユーザに対して、他の無線基地局に在圏する他の移動局への発信が不可である旨を警告でき、以て当該他の移動局への不要な発信信号の発生が抑止される。このため、ゲートウェイ装置４０の処理負荷をさらに低減することができる。
【００６９】
なお、上記の実施の形態によって本発明は限定されるものではなく、特許請求の範囲の記載に基づき、当業者によって種々の変更が可能なことは明らかである。
【符号の説明】
【００７０】
１, １ａ  移動体通信システム
１０  コアネットワーク
２０, ２０ｘ, ２０ｘ＿１〜２０ｘ＿ｎ  フェムト基地局
２１, ４１  障害検出部
２２, ４２  呼接続部
２３  プロセッサ
２４  障害検出処理プログラム
２５  呼接続処理プログラム
３０, ３０＿１〜３０＿ｍ  移動局
４０  ゲートウェイ装置
５１, ５１＿１, ５１＿２  位置登録要求
５２, ５２＿１, ５２＿２  位置情報
５３  発信信号
５４  着信信号
５５  着信応答信号
５６  発信応答信号
５７  伝送障害検出通知
５８  報知指示
６０  伝送障害検出信号
６１  導通コマンド
６２  導通応答
７０  回線
２１１  コアネットワークＩ／Ｆ
２１２  導通確認部
２２１  無線送受信機
２２２  記憶媒体
２２３  信号処理部
４２１  基地局Ｉ／Ｆ
【図１】
2010233184.tif 000003
【図２】
2010233184.tif 000004
【図３】
2010233184.tif 000005
【図４】
2010233184.tif 000006
【図５】
2010233184.tif 000007
【図６】
2010233184.tif 000008
【図７】
2010233184.tif 000009
【図８】
2010233184.tif 000010
【図９】
2010233184.tif 000011
【図１０】
2010233184.tif 000012
【図１１】
2010233184.tif 000013